(57)【特許請求の範囲】
【請求項１】
顧客の一取引の合計金額情報を記憶する一取引金額記憶手段と、
前記一取引金額記憶手段から一取引の合計金額情報を読み出して印刷媒体に印刷する合計金額印刷手段と、  
を有する商品データ処理装置と、
印刷媒体に印刷された一取引の合計金額情報を取得する一取引金額取得手段と、
前記一取引金額取得手段により取得した一取引金額情報を累積記憶する累積記憶手段と、
前記累積記憶手段に記憶されている累積した金額情報に基づいて割引情報を取得する割引情報取得手段と、
前記累積記憶手段に記憶されている累積した金額情報に基づく割引情報が変更されたか否かを判別する手段と、
この判別する手段により前記割引情報が変更されたと判別した場合、変更後の割引情報と変更前の割引情報との差分に相当する差分割引情報を求める手段と、
入庫情報と出庫情報の少なくとも一方から求めた駐車料金から前記割引情報取得手段によって取得した割引情報及び前記差分割引情報を求める手段により求めた差分割引情報を割引く料金割引手段と、
前記料金割引手段によって割引かれた金額を表示する表示手段と、
を有する駐車精算機と、
を有することを特徴とする駐車料金割引システム。
【請求項２】
請求項１記載の駐車料金割引システムにおいて使用される商品データ処理装置であって、
商品の売上情報を記憶する売上記憶手段と、
この売上記憶手段に記憶した売上情報から顧客の一取引の合計金額を算出して記憶する合計金額記憶手段と、
この合計金額記憶手段に記憶した情報に基づいてレシートを発行するレシート印刷手段と、
前記合計金額記憶手段から一取引の合計金額情報を読み出して、顧客の累計金額に対して駐車料金の割引を行う割引機に入力可能な形式で印刷する一取引金額印刷手段と、
を有することを特徴とする商品データ処理装置。
【請求項３】
顧客の一取引の買い上げ情報に基づく一取引の合計金額情報が印刷された印刷媒体から一取引金額情報を取得する一取引金額取得手段と、
前記一取引金額取得手段により取得した一取引金額情報を累積記憶する累積記憶手段と、
前記累積記憶手段に記憶されている累積した金額情報に基づいて割引情報を取得する割引情報取得手段と、
前記累積記憶手段に記憶されている累積した金額情報に基づく割引情報が変更されたか否かを判別する手段と、
この判別する手段により前記割引情報が変更されたと判別された場合、変更後の割引情報と変更前の割引情報との差分に相当する差分割引情報を求める手段と、
入庫情報と出庫情報の少なくとも一方から求めた駐車料金から前記割引情報取得手段によって取得した割引情報及び前記差分割引情報を求める手段により求めた差分割引情報を割引く料金割引手段と、
前記割引手段によって割引かれた金額を表示する表示手段と、
を有することを特徴とする駐車精算機。
【請求項４】
領収書を発行する発行宣言手段と、
前記発行宣言手段がされると判別されると、前記累積記憶手段により記憶されている金額情報と、前記割引情報取得手段によって取得した金額情報とを領収書に印刷する領収書印刷手段とを有することを特徴とする請求項３に記載の駐車精算機。
【発明の詳細な説明】
【技術分野】
【０００１】
本発明は商店街やショッピングモールなどで利用される商品データ処理装置、駐車料金割引機及び駐車料金割引システムに関する。
【背景技術】
【０００２】
現在、有料駐車場において特定の小売店や飲食店などで商品を購入した場合、購入した商品の合計金額に対応して有料駐車場の割引券を顧客に渡すサービスが行われている。
【０００３】
このような駐車場の管理システムには例えば特許文献１が知られている。この特許文献１では、小売店などで取引終了時に印刷されるレシートに常にバーコードで記載された割引情報を印刷する。そして、これをバーコード読取り部が設けられた精算機で読取ることにより割引処理を行う発明が開示されている。
【特許文献１】特開２００４−１９９１５３号公報
【発明の開示】
【発明が解決しようとする課題】
【０００４】
複数の小売店舗が集まっている商店街などでは近くにある有料駐車場などと提携し、割引券を配布している場合が多い。しかし、特許文献１では一取引ごとに割引券が発行される。このため、端数が切り捨てられてしまい、各小売店で購入した商品・役務の合計金額に対して駐車料金の割引を顧客は受けることができない。結果として、顧客に余計な出費を強いることになる。
【０００５】
本発明はこのような事情に基づいてなされたもので、その目的とするところは、顧客に対し有効的な割引を行う商品データ処理装置、駐車料金割引機及び駐車料金割引システムを提供するものである。
【課題を解決するための手段】
【０００６】
本発明の駐車料金精算システムは、顧客の一取引の合計金額情報を記憶する一取引金額記憶手段と、前記一取引金額記憶手段から一取引の合計金額情報を読み出して印刷媒体に印刷する合計金額印刷手段と、を有する商品データ処理装置と、印刷媒体に印刷された一取引の合計金額情報を取得する一取引金額取得手段と、前記一取引金額取得手段により取得した一取引金額情報を累積記憶する累積記憶手段と、前記累積記憶手段に記憶されている累積した金額情報に基づいて割引情報を取得する割引情報取得手段と、前記累積記憶手段に記憶されている累積した金額情報に基づく割引情報が変更されたか否かを判別する手段と、この判別する手段により前記割引情報が変更されたと判別した場合、変更後の割引情報と変更前の割引情報との差分に相当する差分割引情報を求める手段と、入庫情報と出庫情報の少なくとも一方から求めた駐車料金から前記割引情報取得手段によって取得した割引情報及び前記差分割引情報を求める手段により求めた差分割引情報を割引く料金割引手段と、前記料金割引手段によって割引かれた金額を表示する表示手段と、を有する駐車精算機と、を有する。
【発明の効果】
【０００７】
本発明によれば、顧客が買い上げた累計の金額に対し割引が行われるので、端数が切り捨てられることがなく、顧客に対し有効的な駐車料金の割引を行うことができる。
【発明を実施するための最良の形態】
【０００８】
以下、本発明の実施の形態について図面を参照して詳細に説明する。
【実施例】
【０００９】
この実施の形態では、駐車料金割引システムはデパートなどの小売店に配置された電子キャッシュレジスタ（商品データ処理装置）と、デパートの敷地内にある有料の駐車場に設置された駐車券の駐車精算機からなる。また、この駐車精算機は駐車割引機が一体となっている。
【００１０】
図１は電子キャッシュレジスタ１のブロック図である。この電子キャッシュレジスタ１には、演算装置・制御装置としてのＣＰＵ１１が設けられている。このＣＰＵ１１にはバスライン１２を介して、ＲＯＭ１３、ＲＡＭ１４、ＨＤＤコントローラー１５、キーボードコントローラー１６、客用表示コントローラー１７、店用表示コントローラー１８、プリンタコントローラー１９、Ｉ／Ｏ（Ｉｎｐｕｔ／Ｏｕｔｐｕｔ）ポート２０、時刻を計上するタイマー２６が接続されている。そして、これらの各コントローラー１５、１６、１７、１８、１９には、ＨＤＤ２１、キーボード２２、顧客に対して取引結果などを表示する客用表示器２３、接客係に対して取引結果などを表示する店用表示器２４、レシートを印刷するプリンタ２５、が接続されている。
【００１１】
前記ＲＯＭ１３には、前記ＣＰＵ１１によって読み出されて当該ＣＰＵ１１を様々な機能として働かせるプログラムや当該プログラムによるデータ処理の対象となる固定的なデータが格納されている。前記ＲＡＭ１４には、プログラムによるデータ処理の作業領域となるワークエリアなどの様々なメモリエリアが動的に形成される。また、顧客が購入した商品のＰＬＵコードに対応する商品名、買上金額、買上点数、その小計金額と合計金額などを取引ナンバーごとに記憶する。なお、このＲＡＭ１４の合計金額を記憶するエリアが一取引金額記憶手段に相当する。また、合計金額記憶手段にも相当する。そして、前記ＲＡＭ１４の顧客が購入した商品のＰＬＵコードに対応する商品名、買上金額、買上点数などの売上情報に関して記憶をしているエリアが売上記憶手段に相当する。
【００１２】
前記ＨＤＤコントローラー１５は、前記ＨＤＤ２１に対するデータやプログラムなどの読み書きの制御を行う。このＨＤＤコントローラー１５によって制御される前記ＨＤＤ２１の記憶領域には、取引ナンバーごとに一取引の情報を記憶する取引ファイル３０と、商品ごとの売上を記憶する売上ファイルと、ＰＬＵコードに対応して商品名や金額などを記憶するＰＬＵファイルが記憶されている。
【００１３】
この取引ファイル３０は図２に示すように取引ナンバーごとに一取引の取引時間、合計金額券を発券したか否かを判別する発行管理フラグ、顧客が購入した商品のＰＬＵコードに対応する商品名、買上金額、買上点数、その小計金額と合計金額などを記憶する。また、この発行管理フラグは合計金額券が発券された際、０から１にセットされる。
【００１４】
前記キーボードコントローラー１６は、前記キーボード２２からの入力信号を処理し、操作されたキーに対応するキーコードなどを前記バスライン１２に送出するものである。このキーボードコントローラー１６に接続されているキーボード２２は、数字を入力するためのテンキー、ＰＬＵコードを入力するためのＰＬＵキー、取引の終了を宣言する預／現計キー、一取引で顧客が買い上げた商品の合計金額情報を印刷する合計情報発行キーなどを備える。
【００１５】
前記客用表示コントローラー１７は、顧客に対して取引結果などを表示する客用表示器２３を制御し、前記ＣＰＵ１１などからの指令に応じて前記バスライン１２から受取ったデータなどに基づく情報を客用表示器２３の画面に表示させる。同様に、前記店用表示コントローラー１８は、キャッシャに対して取引結果などを表示する店用表示器２４の画面表示を制御する。
【００１６】
前記プリンタコントローラー１９は、用紙に所定の情報を印刷する印刷部や所定情報が印刷された用紙を切断するカッターなどを備えたプリンタ２５を制御する。このプリンタコントローラー１９によって制御されるプリンタ２５は、ロール状に巻かれた状態で納められている長尺紙の端を印刷の際に順次引き出して印刷用紙として使用し、その引き出された長尺紙の端から順に印刷部で印刷を行うものである。この印刷部で印刷される情報は、前記ＣＰＵ１１などからの指令に応じて前記バスライン１２から受取ったデータなどに基づくものである。
【００１７】
前記Ｉ／Ｏポート２０は、接続されている図示しないモードスイッチから入力された信号に基づいて所定のデータを前記バスライン１２に出力したり、前記ＣＰＵ１１からの指令などに応じて接続されている図示しないドロワに起動信号を出力したりする。前記ドロワは、現金などを収納するもので、前記Ｉ／Ｏポート２０から出力される駆動信号に基づいてその収納部上の開口を外部に露呈させる。前記モードスイッチは、「登録」、「点検」、「精算」、「設定」などの前記電子キャッシュレジスタ１における各種業務モードの何れかのモードへと切り替えるための切替えスイッチで、鍵にて切替え操作される。鍵位置に対応するモード信号は、前記モードスイッチから前記Ｉ／Ｏポート２０に入力され、前記ＣＰＵ１１によって選択されたモードが認識される。
【００１８】
しかして、以上のようなハードウェア構成、ファイル構成からなる電子キャッシュレジスタ１において、前記ＣＰＵ１１は、その動作モードとして「登録」業務が選択されているとき、予め設定されているプログラムに基づいて、図３に示す合計金額券発行処理を実行する。
【００１９】
まず、Ｓ（ステップ）１として前記ＰＬＵキーが押下され、ＰＬＵキーのキー信号が入力される。この入力が、前回取引において預／現計キー押下後、今回取引において始めてのＰＬＵキーの押下であるなら、まず前記ＲＡＭ１４に記憶されている前回取引の買上点数や合計金額などの情報をクリアする。そして、このＳ１にて入力されたＰＬＵキーに対応する商品名、金額などのデータを前記ＰＬＵファイルから検索して、前記ＲＡＭ１４に記憶する。
【００２０】
次に、入力されたＰＬＵキーに対応する商品名、金額など前記客用表示器２３と店用表示器２４に表示する（Ｓ２）。
【００２１】
このＳ２にて商品名などを前記各表示器に表示すると、続いて小計キーのキー信号が入力されたか否かを判別する（Ｓ３）。そして、前記小計キーの操作による信号入力を検知しない場合（Ｓ３のＮｏ）、再び前記Ｓ１に戻り、ＰＬＵコードが入力されるまで、そのまま待機する。
【００２２】
一方、前記Ｓ２にて商品名などを表示器に表示した後に、前記小計キーのキー信号が入力されたなら（Ｓ３のＹｅｓ）、前記ＲＡＭ１４に記憶されている商品ごとの買上金額の和を算出し、その和を小計金額として前記ＲＡＭ１４にさらに記憶し、この小計金額を前記客用表示器２３と前記店用表示器２４の画面に表示させる（Ｓ４）。
【００２３】
小計キーのキー信号入力により、小計金額を表示器に表示すると、次に顧客が支払った金額が前記テンキーによって入力され、その後に預／現計キーのキー信号が入力されたか否かを判別する（Ｓ５）。前記預／現計キーのキー信号が入力されないと判別されたなら（Ｓ５のＮｏ）、入力されるまで待機する。
【００２４】
一方、前記預／現計キーのキー信号が入力されたと判別されたなら（Ｓ５のＹｅｓ）、前記ドロワを開放すると共に預かり金と買上の小計金額とからつり銭を計算し、前記客用表示器２３と前記店用表示器２４に表示する。また、前記預／現計キーのキー信号が入力されたなら、入力された時間を前記タイマー２６より計上し前記ＲＡＭ１４に取引時間として記憶する（Ｓ６）。
【００２５】
また、前記ＲＡＭ１４に記憶されている取引の時間、買上商品、小計金額、預かり金額、つり銭などの情報を取引ナンバーと共に前記ＨＤＤ２１の取引ファイル３０に更新する。なお、この取引ナンバーは前記預／現計キーが押下されたときに、生成され、前記ＲＡＭ１４に一時記憶される。また、前記ＨＤＤ２１の売上ファイルに今回取引において顧客が買い上げた商品の更新を行う（Ｓ７）。
【００２６】
続いて、前記ＲＡＭ１４に記憶されている買上金額、預かり金、取引時間、取引ナンバーなど情報から、印刷データを作成し、この印刷データを前記プリンタ２５に出力して、レシート用紙及びジャーナル用紙に今回取引の明細を印刷する（Ｓ８）。この前記ＲＡＭ１４に記憶されている情報を前記ＣＰＵ１１の命令により前記プリンタ２５を動作させレシートに印刷する処理がレシート印刷手段に相当する。
【００２７】
そして、前記Ｓ８にてレシートが印刷された後に、前記合計情報発行キーのキー信号が入力されたか否かの判別を行う（Ｓ９）。レシート発行後に前記合計情報発行キーのキー信号が入力されないなら（Ｓ９のＮｏ）、一取引における商品登録処理を終了し、次の取引における商品登録処理に備える。
【００２８】
一方、レシート発行後に、前記合計情報発行キーのキー信号が入力されたと判別されたなら（Ｓ９のＹｅｓ）、前記ＲＡＭ１４に記憶されている一取引の合計金額から合計金額情報の印刷データを作成し、この印刷データを前記プリンタ２５に出力して、レシート用紙及びジャーナル用紙に今回取引の合計金額情報が印刷された合計金額券を発行する（Ｓ１０）。このとき、合計金額券に印刷される合計金額情報は文字情報であってもよいし、バーコードであってもよい。このＳ１０において、前記ＣＰＵ１１の命令によって前記ＲＡＭ１４から合計金額情報を読み出し、前記プリンタ２５にて合計金額情報を印刷する処理が、一取引金額記録手段、合計金額印刷手段と一取引金額印刷手段とに相当する。
【００２９】
そして、前記ＲＡＭ１４に記憶されている取引ナンバーを前記ＨＤＤ２１の取引ファイル３０から検索し、取引ナンバーに対応する発行管理フラグを０から１にセットし、一取引における商品登録処理を終了し、次の取引における商品登録処理に備える。（Ｓ１１）。
【００３０】
また、以上のようなハードウェア構成、ファイル構成からなる電子キャッシュレジスタ１において、前記ＣＰＵ１１は、その動作モードとして「登録」業務が選択されているとき、予め設定されているプログラムに基づいて、図４に示す取引終了後の合計金額券発行処理を実行する。
【００３１】
まず、Ｓ５１として前記合計情報発行キーが押下された後、取引ナンバーが前記テンキーを用いて入力される。
【００３２】
取引ナンバーが入力されると、入力された取引ナンバーを前記ＨＤＤ２１の取引ファイル３０から検索する（Ｓ５２）。
【００３３】
前記Ｓ５１にて入力された取引ナンバーを検索すると、前記ＨＤＤ２１の取引ファイル３０に記憶されている発行管理フラグが０か１かを判別する（Ｓ５３）。発行管理フラグが０であると判別するなら（Ｓ５３のＹｅｓ）、入力された取引ナンバーに対応する合計金額から印刷情報を作成し、合計金額券を発行し（Ｓ５４）、処理を終了する。
【００３４】
一方、発行管理フラグが０でないと判別するなら（Ｓ５３のＮｏ）、前記各表示器に既に発行済みである旨のメッセージを表示し（Ｓ５５）、処理を終了する
【００３５】
図５は駐車精算機５０のブロック図である。この駐車精算機５０には、演算装置・制御装置としてのＣＰＵ１０１が設けられている。このＣＰＵ１０１にはバスライン１０２を介して、ＲＯＭ１０３、ＲＡＭ１０４、時刻を計上するタイマー１０５、プリンタコントローラー１０６、表示コントローラー１０７、Ｉ／Ｏユニット１０８、キーボードコントローラー１１５が接続されている。そして、これらのプリンタコントローラー１０６にはプリンタ１０９が、表示コントローラー１０７には投入された金額や駐車料金を表示する表示器１１０、キーボードコントローラー１１５にはキーボード１１６がそれぞれ接続されている。また、前記Ｉ／Ｏユニット１０８には、駐車券読取り器１１１、合計金額情報読取り器１１２、紙幣処理器１１３、貨幣処理器１１４が接続されている。
【００３６】
前記ＲＡＭ１０４は、プログラムによるデータ処理の作業領域となるワークエリアなどの様々なメモリエリアが動的に形成される。また、駐車料金記憶ファイル６０は、図６に示すように、駐車時間に対応する駐車料金を記憶している。また、割引情報ファイル７０は図７に示すように、顧客が商品を購入した合計金額の累計金額の範囲に対応して、割引金額が設定されている。
【００３７】
前記ＲＡＭ１０４にはさらに、顧客が入力した合計金額情報の値の和を記憶する累計金額記憶エリア、算出された駐車料金を記憶する駐車料金記憶エリア、支払残りの駐車料金を記憶する支払い残りエリア、支払われた金銭を記憶する金銭記憶エリア、割引金額の差額を記憶する割引差額記憶エリア、割引金額を記憶する割引金額記憶エリアを設ける。なお、これらのエリアの初期値は０である。
【００３８】
前記駐車券読取り器１１１は、顧客が保持する駐車券の挿入口と、この挿入口から挿入された駐車券の情報を読取る読取り部により形成される。
【００３９】
合計金額情報読取り器１１２は、顧客が保持する合計金額券の挿入口と、この挿入口から挿入された合計金額券の合計金額情報を読取る読取り部により形成される。
【００４０】
紙幣処理器１１３は紙幣投入口と投入された紙幣を計測する紙幣計測部からなり、貨幣処理器１１４は貨幣投入口と投入された貨幣を計測する貨幣計測部からなる。
【００４１】
前記キーボード１１６には図示しない領収書発行キーが設けられている。この領収書発行キーが押下されたなら、領収書が発行される。
【００４２】
以上のような以上のようなハードウェア構成、ファイル構成からなる前記駐車精算機５０において、前記ＣＰＵ１０１は、予め設定されているプログラムに基づいて、図８に示す精算処理を実行する。
【００４３】
まず、Ｓ１０１として前記駐車券読取り器１１１の駐車券投入口から駐車券が投入され、前記駐車券読取り器１１１の読取り部が動作し、駐車券に記憶されている時刻が入力される。
【００４４】
駐車券に記憶されている時刻が入力されると、前記タイマー１０５が計上する現在の時刻とから、駐車時間を算出する。そして、算出された駐車時間を前記ＲＡＭ１０４の所定のエリアに記憶する。駐車時間を前記ＲＡＭ１０４に記憶すると、算出された駐車時間から、前記ＲＡＭ１０４の駐車料金記憶ファイル６０から駐車時間に対応する駐車料金を検索する。そして、発見された駐車料金を前記ＲＡＭ１０４の駐車料金記憶エリアと支払い残りエリアとに記憶する（Ｓ１０２）。
【００４５】
続いて、前記ＲＡＭ１０４の駐車料金記憶エリアに記憶された駐車料金を読み出し、前記表示器１１０に表示する（Ｓ１０３）。
【００４６】
前記Ｓ１０３にて前記表示器１１０に駐車料金を表示すると、続けて合計金額券が合計金額情報読取り器１１２の挿入口から挿入され、前記合計金額情報読取り器１１２の読取り部によって合計金額情報が入力されたか否かの判別を行う（Ｓ１０４）。合計金額情報が入力されないと判別するなら（Ｓ１０４のＮｏ）、前記紙幣処理器１１３と前記貨幣処理器１１４とに金銭を挿入することにより、駐車料金の入金が行われ、入金された値は前記ＲＡＭ１０４の金銭記憶エリアに記憶されている値に加算・記憶される（Ｓ１０５）。
【００４７】
前記Ｓ１０５にて入金が行われると、前記ＲＡＭ１０４の支払い残りエリアに記憶されている値から前記ＲＡＭ１０４の金銭記憶エリアの値を減算し、計算結果を支払残りエリアに記憶する（Ｓ１０６）。そして、前記ＲＡＭ１０４の支払い残りエリアの値を前記表示器１１０に表示する（Ｓ１１１）。
【００４８】
一方、前記Ｓ１０４にて合計金額情報が入力されたと判別されるなら（Ｓ１０４のＹｅｓ）、入力された合計金額情報の値と前記ＲＡＭ１０４の累計金額記憶エリアに記憶されている値との和を算出し、その和を累計金額記憶エリアに記憶する（Ｓ１０７）。このＳ１０４において、合計金額券に記録されている合計金額情報を前記合計金額情報読取り器１１２にて取得する処理が、記録取得手段と一取引金額取得手段とに相当する。また、前記ＲＡＭ１０４の累計金額記憶エリアは、取得した金額を累積記憶しているため累積記憶手段に相当する。
【００４９】
入力された値を前記ＲＡＭ１０４の累計金額記憶エリアに記憶すると、前記ＲＡＭ１０４に記憶されている割引情報ファイル７０の累計金額の範囲から前記ＲＡＭ１０４の累計金額記憶エリアに記憶されている累計金額を検索し、前記ＲＡＭ１０４に記憶する（Ｓ１０８）。この前記ＲＡＭ１０４の累計金額記憶エリアから前記ＣＰＵ１０１の命令により割引情報を取得する処理が、割引情報取得手段に相当する。
【００５０】
そして、検索された累計金額に対応する割引金額と前記ＲＡＭ１０４の割引金額記憶エリアの値とを比較し割引額が変更されたか否かを判別する（Ｓ１０９）。変更されていないと判別されたなら（Ｓ１０９のＮｏ）、前記Ｓ１０４に戻り合計金額情報が入力されたか否かの判別を行う。
【００５１】
一方、割引額が変更されたと判別されたなら（Ｓ１０９のＹｅｓ）、新しい割引金額と前記ＲＡＭ１０４の割引金額記憶エリアに記憶されている割引金額から差額を算出し、その差を前記ＲＡＭ１０４の割引差額記憶エリアに記憶する。また、新しい割引金額を前記ＲＡＭ１０４の割引金額記憶エリアに記憶する。そして、前記ＲＡＭ１０４の支払い残りエリアの値と前記ＲＡＭ１０４の割引差額記憶エリアの値を減算し、その差を前記ＲＡＭ１０４の支払い残り記憶エリアに記憶する。（Ｓ１１０）。この前記ＣＰＵ１０１の命令によって前記ＲＡＭ１０４の支払い残りエリアの値を減算する処理が割引手段と料金割引手段とに相当する。
【００５２】
その後、前記ＲＡＭ１０４の支払残りエリアに記憶されている駐車料金の支払い残りを前記表示器１１０に表示する（Ｓ１１１）。この前記ＣＰＵ１０１の命令によって前記ＲＡＭ１０４の支払残りエリアに記憶されている値を前記表示器１１０に表示する処理が表示手段に相当する。
【００５３】
次に、前記ＲＡＭ１０４の支払い残りエリア記憶されている駐車料金が０になっているかを判別する（Ｓ１１２）。駐車料金が０になっていないと判別すると（Ｓ１１２のＮｏ）、前記Ｓ１０４の合計金額情報が入力されたか否かの判別に戻る。
【００５４】
一方、前記ＲＡＭ１０４に記憶されている駐車料金が０になっていると判別されると（Ｓ１１２のＹｅｓ）、前記キーボード１１６の領収書キーが押下されたかを判別する（Ｓ１１３）。この領収書キーが押下されたか否かの前記ＣＰＵ１０１の判別処理が発行宣言手段に相当する。
【００５５】
領収書キーが押下されたと判別すると（Ｓ１１３のＹｅｓ）、前記ＲＡＭ１０４の所定のエリアから駐車料金と、顧客が入力した合計金額情報の和である累計金額と、割り引かれた金額とを領収書として前記プリンタ１０９が発行し（Ｓ１１４）、精算を終了する。このＳ１１４にて前記ＣＰＵ１０１の命令により、前記ＲＡＭ１０４の所定のエリアから印刷データを作成し、前記プリンタ１０９にて累計金額と割引金額とを印刷する処理が領収書印刷手段に相当する。
【００５６】
一方、領収書キーが押下されないなら（Ｓ１１３のＮｏ）、精算処理を終了する。
【００５７】
次に、以上のようなハードウェア構成を備え、図３、図８のフローチャートに基づいた所定のデータ処理を行う前記電子キャッシュレジスタ１と前記駐車精算機５０の動作について説明する。
【００５８】
最初に、前記電子キャッシュレジスタ１の動作モードとして「登録」業務が選択されている状態で図３に示した商品登録処理により、合計金額券を発行する場合の動作について説明する。
【００５９】
顧客は７００円の商品「ＡＡＡＡ」を「１」点の購入を行い、対応するＰＬＵコードは「１１１１」、つり銭は０であるとする。このとき、合計金額券に印刷される情報「７００」は文字情報であるとする。また、今回取引の取引ナンバーは「９９９９９」であるとする。
【００６０】
次に前記駐車精算機５０にて図８に示す精算処理を行う動作について説明する。顧客は図９に示すように、「３００」円、「７００」円、「１０００」円の３枚の合計金額券を持ち、その累計は「２０００」円であるとする。そして、この累計金額に対応する割引金額は「２００」円であるとする。
【００６１】
そして、顧客の駐車時間は「２」時間であるとし、駐車料金は「２００」円であるとする。また、前記ＲＡＭ１０４の累計金額記憶エリアの初期値は「０」であるとする。
【００６２】
また、精算後に領収書キーを押下し、図１０に示すような駐車料金２００円、累計金額２０００円、割引金額２００円と印刷された、領収書が発行されるものとする。
【００６３】
まず始めに、前記電子キャッシュレジスタ１に関して説明する。
【００６４】
キャッシャは顧客が購入を希望する商品「ＡＡＡＡ」のＰＬＵキーを押下する。このＰＬＵキーが押下されると、ＰＬＵコードである「１１１１」が入力される。このＰＬＵコードの入力は前回取引後初めてのＰＬＵコードの入力であるので、前記ＲＡＭ１４に記憶されている前回取引の内容をクリア後、顧客が買上を希望する商品の商品登録を行う。より詳細には入力された前記ＰＬＵコード「１１１１」を前記ＨＤＤ２１に記憶されているＰＬＵファイルから検索し、対応する商品名「ＡＡＡＡ」、価格「７００」などを前記ＲＡＭ１４に記憶する
【００６５】
続いて、キャッシャは前記小計キーを押下する。すると、顧客の買上金額の小計金額である「７００」が、前記客用表示器２３と前記店用表示器２４に表示される。
【００６６】
前記客用表示器２３に表示された「７００」の文字を顧客は目視し、７００円
をキャッシャに渡す。顧客からお金を受取ったキャッシャは、前記テンキーを操作して、預かり金額として「７００」と入力し、前記預／現計キーを押下する。
【００６７】
前記預／現計キーが押下されると、預かり金額の「７００」と買上金額の「７００」とを減算し、その差「０」を算出して、前記ドロワを開放する。また、前記預／現計キーが押下された時間を前記タイマー２６より計上し、前記ＲＡＭ１４に取引時間として記憶する。
【００６８】
また、前記預／現計キーを押下することによって、取引ナンバー「９９９９９」が生成され、今回取引の内容である商品名「ＡＡＡＡ」、買上金額「７００」、買上点数「１」などを、取引ナンバー「９９９９９」と共に前記ＨＤＤ２１の取引ファイル３０に更新する。
【００６９】
今回取引における取引ナンバー、商品名、価格、点数、取引時間などから、印刷データを作成し、レシートを印刷する。
【００７０】
続けて、顧客は口頭にて駐車場の合計金額券が必要である旨をキャッシャに告げる。すると、キャッシャは前記合計情報発行キーを押下する。前記合計情報発行キーが押下されると、前記ＲＡＭ１４に記憶されている合計金額「７００」から印刷データを作成し、前記プリンタ２５にて割引情報を印刷する。
【００７１】
次に、上述の条件にて前記駐車精算機５０の操作について説明する。
【００７２】
顧客はまず、前記駐車精算機５０の前記駐車券読取り器１１１の開口部に挿入することにより、駐車券の時刻を読取らせる。入力された駐車券の時刻と現時刻とから駐車時間である２時間を算出し、前記ＲＡＭ１０４に記憶する。そして、前記ＲＡＭ１０４に記憶されている駐車時間に対応する料金表から２時間に対応する金額「２００」円を検索し、前記ＲＡＭ１０４の駐車料金記憶エリアと支払い残りエリアに記憶する。その後、前記ＲＡＭ１０４の駐車料金記憶エリアに記憶されている「２００」が前記表示器１１０に表示される。
【００７３】
前記表示器１１０に駐車料金２００の表示を目視により確認した顧客は、所持している、「３００」円、「７００」円、「１０００」円の合計金額券のうち、まず「３００」円の合計金額券を前記合計金額情報読取り器１１２の開口部へ挿入することにより合計金額情報を読取らせる。
【００７４】
合計金額情報が入力されると、入力された値「３００」と前記ＲＡＭ１０４の累計金額記憶エリアに記憶されている値「０」を加算し、その和「３００」が累計金額記憶エリアに新たに記憶される。
【００７５】
そして、前記ＲＡＭ１０４の割引情報ファイル７０の累計金額の範囲から算出された値「３００」を検索する。そして、対応する割引金額「０」が読み出される。この値は前記ＲＡＭ１０４の割引金額記憶エリアに記憶されている「０」と等しいので、合計金額券「３００」円の割引処理を終了し、入力待ち状態に戻る。
【００７６】
次に顧客は「７００」円の合計金額券を前記合計金額情報読取り器１１２の開口部へ挿入することにより合計金額情報を読取らせる。
【００７７】
合計金額情報が入力されると、入力された値「７００」と前記ＲＡＭ１０４の累計金額記憶エリアに記憶されている値「３００」を加算し、その和「１０００」が累計金額記憶エリアに新たに記憶される。
【００７８】
そして、前記ＲＡＭ１０４の割引情報ファイル７０の累計金額の範囲から算出された値「１０００」が検索される。そして、対応する割引金額「１００」が読み出される。読み出された値「１００」は前記ＲＡＭ１０４の割引金額記憶エリアに記憶されている「０」と異なっているので、「１００」を新たな割引金額として前記ＲＡＭ１０４の割引金額記憶エリアに記憶される。次に、「１００」から「０」を減算し、その差を割引差額記憶エリアに記憶する。そして、前記ＲＡＭ１０４の支払残りエリアに記憶されている「２００」から算出された差額「１００」を減算し、新たな支払残り金額「１００」を支払い残りエリアに記憶される。その後、この新たな支払残り金額「１００」が前記表示器１１０に表示される。
【００７９】
支払い残り金額が「０」ではないので、再度入力待ち状態に戻る。
【００８０】
最後に「１０００」円の合計金額券を前記合計金額情報読取り器１１２の開口部へ挿入することにより合計金額情報を読取らせる。
【００８１】
合計金額情報が入力されると、入力された値「１０００」と前記ＲＡＭ１０４の累計金額記憶エリアに記憶されている値「１０００」を加算し、その和「２０００」を累計金額記憶エリアに新たに記憶する。
【００８２】
そして、前記ＲＡＭ１０４の割引情報ファイル７０の累計金額の範囲から算出された値「１０００」が検索される。そして、対応する割引金額「２００」が読み出される。読み出された値「２００」は前記ＲＡＭ１０４の割引金額記憶エリアに記憶されている「１００」と異なっているので、「２００」を新たな割引金額として前記ＲＡＭ１０４の割引金額記憶エリアに記憶される。そして、「２００」から「１００」を減算し、その差を割引差額記憶エリアに記憶する。そして、前記ＲＡＭ１０４の支払残りエリアに記憶されている「１００」から算出された差額「１００」を減算し、新たな支払残り金額「０」を支払い残りエリアに記憶する。そして、この新たな支払残り金額「０」が前記表示器１１０に表示される。
【００８３】
そして、顧客は領収書キーを押下し、駐車料金２００円、累計金額２０００円、割引金額２００円が印刷された領収書を受取り、精算を完了する。
【００８４】
以上により、顧客が買い上げた金額の累計に対して割引が行われるので、顧客に対し有効な割引を行うことができる。
【００８５】
続いて図４のフローチャートに基づいて、合計金額券を貰い忘れた顧客がレシートに印刷されている取引ナンバーをキャッシャに通知することにより、取引終了後に前記電子キャッシュレジスタ１を操作し、合計金額券を発行する動作について説明する。
【００８６】
レシートに印刷されている取引ナンバーは「９９９９９」であるとする。また、当該取引にて７００円の品物を購入したとし、前記ＨＤＤ２１の取引ファイル３０の合計には「７００」が記憶されているものとする。発行管理フラグは「０」であるとする。
【００８７】
キャッシャは顧客から取引ナンバー「９９９９」を通知されると、まず合計情報発行キーを押下した後、テンキーを操作し取引ナンバー「９９９９」を入力する。
【００８８】
取引ナンバーが入力されると、前記ＨＤＤ２１の取引ファイル３０から取引ナンバー「９９９９」を検索する。
【００８９】
取引ナンバー「９９９９」を検索すると、対応する発行管理フラグが「０」であるので、合計金額「７００」が印刷される。
【００９０】
以上により、合計金額券を貰い忘れた顧客に、取引終了後に合計金額券が発行できるので、顧客への利便性が向上する。
【００９１】
以上、本発明の実施の一形態についての動作を詳述したが、本発明はこの実施形態に限られるものではなく、本発明の要旨を逸脱しない範囲の設計変更があっても本発明に含まれる。例えば、以下のような実施が考えられる。
【００９２】
本実施例では買上金額に対して割引金額を算出したが、買上金額に応じて駐車時間を差し引いてもよい。これによっても、本実施例の効果を果たすことは可能である。また、買上金額に対して、一律の割引を行ってもよい。
【００９３】
本実施例では、レシート発行後にキーボードを押下すると合計金額券などが印刷されるが、レシート発行後に自動的に印刷されるようにしてもよい。これにより、合計金額券の貰い忘れやキャッシャの労力軽減になる。
【００９４】
また、印刷される合計金額券はレシートと別体であっても一体で別体あってもよい。しかし、合計金額券とレシートが一体である場合、レシートが長大になることによる顧客の操作性の低下、合計金額券を回収するとレシートも回収しなければならない、などを考慮するとレシートと合計金額券は別体であることが望ましい。  
【００９５】
また、本実施例において累計金額記憶エリアには合計金額情報が入力される度にその和が記憶される。ここで、一台の駐車料金に対して入力される全ての合計金額情報を前記ＲＡＭ１０４に記憶し、新たに全ての合計金額情報の入力の完了する宣言する入力完了宣言手段を設け、この入力完了手段により合計金額情報の和を求めるようにしてもよい。なお、この前記ＲＡＭ１０４に記憶される全ての合計金額情報を記憶するエリアと入力完了宣言手段後に求められる和を記憶するエリアも累計記憶手段に相当する。
【図面の簡単な説明】
【００９６】
【図１】本発明における一実施形態の電子キャッシュレジスタのブロック図
【図２】同電子キャッシュレジスタのＨＤＤに構成される取引ファイルの一例を示す説明図
【図３】本発明の一実施形態の電子キャッシュレジスタの発券処理のフローチャート
【図４】本発明の一実施形態の電子キャッシュレジスタの取引終了後の発券処理のフローチャート
【図５】本発明における一実施形態の駐車精算機のブロック図
【図６】本発明の一実施形態の実施形態の駐車精算装置のＲＡＭに構成される駐車時間に対応する駐車料金ファイルの一例を示す説明図
【図７】本発明の一実施形態の実施形態の駐車精算装置のＲＡＭに構成される割引情報ファイルの一例を示す説明図
【図８】本発明の一実施形態の駐車精算機の精算処理のフローチャート
【図９】本発明の一実施形態の商品販売データ登録処理装置が発行する合計金額券
【図１０】本発明の一実施形態の領収書図
【符号の説明】
【００９７】
１  電子キャッシュレジスタ
１１  ＣＰＵ
１４  ＲＡＭ
３０  取引ファイル
５０  駐車精算機
【図１】
0004938633.tif 000002
【図２】
0004938633.tif 000003
【図３】
0004938633.tif 000004
【図４】
0004938633.tif 000005
【図５】
0004938633.tif 000006
【図６】
0004938633.tif 000007
【図７】
0004938633.tif 000008
【図８】
0004938633.tif 000009
【図９】
0004938633.tif 000010
【図１０】
0004938633.tif 000011